(57)【要約】【課題】  利用者が手指を使うことなく携帯電話機に発呼を行わせる。【解決手段】  眼鏡２００の左右の蔓に、ＲＦＩＤタグ２１０が取り付けられた装着部材２１１と、ＲＦＩＤタグ２２０が取り付けられた装着部材２２１とが装着されている。携帯電話機には、ＲＦＩＤを読み取るリーダモジュールが内蔵されている。利用者が、右または左の耳の近傍に携帯電話機を近づけると、携帯電話機は、ＲＦＩＤタグ２１０またはＲＦＩＤタグ２２０からＲＦＩＤを読み取り、読み取ったＲＦＩＤに対応付けて記憶されている電話番号を用いて発呼処理を実行する。【選択図】  図２
2005269572.tif 000002
【特許請求の範囲】
【請求項１】
利用者が携帯電話機を発呼させる際に使用する携帯電話発呼方法であって、
携帯電話機が、
携帯電話の利用者が身に付けている物品に付属しているＩＤ情報記憶手段から無線通信でＩＤ情報を読み取り、
読み取った前記ＩＤ情報に対応する電話番号を用いて発呼を行う
ことを特徴とする携帯電話発呼方法。
【請求項２】
携帯電話機が、
携帯電話の利用者が装着している眼鏡の蔓に付属しているＩＤ情報記憶手段から無線通信でＩＤ情報を読み取る
請求項１記載の携帯電話発呼方法。
【請求項３】
携帯電話機が、
携帯電話の利用者が装着している眼鏡の左右の蔓に付属しているＩＤ情報記憶手段のうちのいずれかから無線通信でＩＤ情報を読み取る
請求項２記載の携帯電話発呼方法。
【請求項４】
ＩＤ情報記憶手段としてＲＦＩＤを用いる
請求項１から請求項３のうちのいずれか１項に記載の携帯電話発呼方法。
【請求項５】
利用者が携帯電話機を発呼させる際に使用する携帯電話発呼システムであって、
携帯電話の利用者が身に付けている物品に付属しているＩＤ情報記憶手段と、
発呼手段を有する携帯電話機とを含み、
前記携帯電話機は、
前記ＩＤ情報記憶手段が記憶しているＩＤ情報と電話番号とを対応付ける情報を記憶する変換情報記憶手段と、
前記ＩＤ情報記憶手段から無線通信でＩＤ情報を読み取るＩＤ情報読取手段と、
前記ＩＤ情報読取手段が読み取った前記ＩＤ情報に対応する電話番号を前記変換情報記憶手段から抽出して前記発呼手段に出力する発呼制御手段とを有する
ことを特徴とする携帯電話発呼システム。
【請求項６】
ＩＤ情報記憶手段は、携帯電話の利用者が装着している眼鏡の蔓に付属している
請求項５記載の携帯電話発呼システム。
【請求項７】
ＩＤ情報記憶手段は、携帯電話の利用者が装着している眼鏡の左右の蔓に付属している
請求項６記載の携帯電話発呼システム。
【請求項８】
ＩＤ情報記憶手段は、ＲＦＩＤタグである
請求項５から請求項７のうちのいずれか１項に記載の携帯電話発呼システム。
【請求項９】
携帯電話機は、ＩＤ情報記憶手段から読み取られたＩＤ情報を、利用者が入力した電話番号に対応付けて変換情報記憶手段に記憶させる登録制御手段を有する
請求項５から請求項８のうちのいずれか１項に記載の携帯電話発呼システム。
【発明の詳細な説明】
【技術分野】
【０００１】
本発明は、携帯電話機の利用者が携帯電話機を発呼させる際に使用する携帯電話発呼方法および携帯電話発呼システムに関し、特に、発呼する際の利用者の操作の便を図った携帯電話発呼方法および携帯電話発呼システムに関する。
【背景技術】
【０００２】
携帯電話機には、通話機能だけでなく、電子メール機能、時計機能、メモ帳機能およびゲーム機能などの各種機能が搭載され、携帯電話機は多機能なものになっている。また、携帯電話機は利用者が常時携帯するものであるから、小型でかさばらないことに主眼をおいて機種開発がなされてきた。その結果、携帯電話機を使用する際には、多くの小さなボタンを沢山押すことによって所望の機能を実現するための画面に到達したり、その画面においてメッセージ入力を行うなど、利用者は複雑な操作を求められる。
【０００３】
そこで、操作を簡略化するための種々の工夫がなされている。代表的なものとして、ボタンとしてファンクションキーを設け、ファンクションキーを押すだけで頻繁に利用する機能を実現することがある。例えば、一つのファンクションキーを押すだけで、外出先から会社の自分の所属部門に電話をかけることができる。
【０００４】
しかし、操作に際して、ボタンを押さなければならないということには、変わりはない。従って、指先が自由にならない場合には、携帯電話機に発呼させるための操作（発呼操作）は困難である。例えば、冬の外出時やスキー場においてなど、手袋をはめている場合には携帯電話機の小さなボタンを押すことは難しい。また、手を負傷してギブスを装着しているときにも、小さなボタンを押すことは難しい。このように、日常生活において、携帯電話機の発呼操作を行うことが困難である場面は意外に多い。
【０００５】
そこで、手指の操作によらず発呼を行える方法として、音声によって電話番号入力を行う方法が考案されている（例えば、特許文献１参照。）。特許文献１に記載された方法では、利用者が、電話番号または登録された相手先名を携帯電話機に音声入力すると、携帯電話機が音声認識を行って、認識結果に従って発呼を行う。このような方法によって、手指の操作を省き、自動車に乗っているときや、目の不自由な人のための便を図ることができる。
【０００６】
【特許文献１】特開平４−１９２８５２号公報（第２−３頁、第２図）
【発明の開示】
【発明が解決しようとする課題】
【０００７】
しかし、音声入力による方法では、利用者は、電話番号を入力する場合に、電話番号を覚えている必要がある。あるいは、事前にメモをしておくなどの準備をしておく必要があり、総体的に見ると利用者の便が図られているとは言い難い。また、音声入力による方法では、特許文献１にも記載されているように誤認識が発生する可能性がある。特許文献１に記載された方法では、携帯電話機による認識結果を利用者に確認させることによって誤認識の問題を解消しているが、携帯電話機が音声入力を誤認識した場合には、利用者は、再度、入力を行わなければならない。この点からも、利用者の便が図られているとは言い難い。さらに、公衆の中で電話番号または相手先名を音声入力する場合には、電話番号を第三者に知られたり、誰宛に電話をかけるのかを第三者に知られてしまうおそれがある。すると、例えば、商談上の秘匿したい取引相手などが第三者に漏れてしまう可能性がある。
【０００８】
そこで、本発明は、相手先を第三者に知られる可能性もなく、手指による操作を行うことなく携帯電話機に発呼を行わせることができる携帯電話発呼方法および携帯電話発呼システムを提供することを目的とする。
【課題を解決するための手段】
【０００９】
本発明による携帯電話発呼方法は、携帯電話機が、携帯電話の利用者が身に付けている物品に付属しているＩＤ情報記憶手段から無線通信でＩＤ情報を読み取り、読み取ったＩＤ情報に対応する電話番号を用いて発呼を行うことを特徴とする。
【００１０】
携帯電話機が、携帯電話の利用者が装着している眼鏡の蔓に付属しているＩＤ情報記憶手段から無線通信でＩＤ情報を読み取るように構成されていてもよい。
【００１１】
携帯電話機が、携帯電話の利用者が装着している眼鏡の左右の蔓に付属しているＩＤ情報記憶手段のうちのいずれかから無線通信でＩＤ情報を読み取るように構成されていてもよい。
【００１２】
ＩＤ情報記憶手段として、例えばＲＦＩＤが用いられる。
【００１３】
本発明による携帯電話発呼システムは、携帯電話の利用者が身に付けている物品に付属しているＩＤ情報記憶手段と、発呼手段を有する携帯電話機とを含み、携帯電話機が、ＩＤ情報記憶手段が記憶しているＩＤ情報と電話番号とを対応付ける情報を記憶する変換情報記憶手段と、ＩＤ情報記憶手段から無線通信でＩＤ情報を読み取るＩＤ情報読取手段と、ＩＤ情報読取手段が読み取ったＩＤ情報に対応する電話番号を変換情報記憶手段から抽出して発呼手段に出力する発呼制御手段とを有することを特徴とする。
【００１４】
ＩＤ情報記憶手段は、携帯電話の利用者が装着している眼鏡の蔓に付属していることが好ましい。
【００１５】
ＩＤ情報記憶手段は、携帯電話の利用者が装着している眼鏡の左右の蔓に付属していることがより好ましい。
【００１６】
ＩＤ情報記憶手段は、例えばＲＦＩＤタグである。
【００１７】
携帯電話機が、ＩＤ情報記憶手段から読み取られたＩＤ情報を、利用者が入力した電話番号に対応付けて変換情報記憶手段に記憶させる登録制御手段を有するように構成されていてもよい。
【発明の効果】
【００１８】
本発明によれば、携帯電話発呼方法および携帯電話発呼システムを、携帯電話機が、携帯電話の利用者が身に付けている物品に付属しているＩＤ情報記憶手段から無線通信でＩＤ情報を読み取り、読み取ったＩＤ情報に対応する電話番号を用いて発呼を行うように構成したので、利用者は手指を使うことなく携帯電話機に発呼を行わせることができ、手指が不自由な状態であっても発呼操作を行うことができることになる。
【発明を実施するための最良の形態】
【００１９】
以下、本発明の実施の形態を図面を参照して説明する。図１は、本発明を適用可能な携帯電話機の一例を示す斜視図である。図１に示すように、携帯電話機１００は、上部（アンテナ部１６０側）にスピーカ１０１を備え、下部にマイクロフォン１０２を備えている。さらに、ＬＣＤ等による表示部１４０と、多数のキー（ボタン）を含む操作部（操作キー）１９０とを備えている。図１に示す例では、スピーカ１０１の近傍に、ＲＦＩＤ（Radio Frequency IDentification）タグから情報を読み取るリーダモジュール１１０が設置されている。なお、ここでは、一体型の携帯電話機を例にするが、折り畳み型の携帯電話機でも、本発明を適用することができる。
【００２０】
図２は、ＲＦＩＤタグが装着された眼鏡を示す斜視図である。図２に示す例では、眼鏡２００の左右の蔓（つる：レンズ装着部と耳掛け用の湾曲部との間）に、ＲＦＩＤタグ２２０が取り付けられた装着部材２２１と、ＲＦＩＤタグ２１０が取り付けられた装着部材２１１とが装着されている。装着部材２１１，２２１は、例えば、眼鏡２００の蔓を跨ぐような可撓性の部材である。利用者は、蔓を跨ぐように装着部材２１１，２２１を設置した後、左右から装着部材２１１，２２１を押さえることによって、装着部材２１１，２２１を蔓に装着できる。なお、そのような構造は一例であって、眼鏡２００の蔓に装着可能であって、容易には外れない構造であれば、他の構造によってもよい。
【００２１】
図３は、携帯電話機１００の内部構成例を示すブロック図である。図３に示す例では、携帯電話機１００は、リーダモジュール１１０、プログラムに従って制御動作を行うＭＰＵによる主制御部１２０、プログラムやデータを格納する主記憶部１３０、表示部１４０、電源部１５０、アンテナ部１６０、データを変復調したり周波数変換を行う変復調部（通信部）１７０、操作キー１９０、および操作キー１９０における各ボタンの押下検出や押下されたボタンによる指示内容を解析したりする操作入力制御部１８０を含む。
【００２２】
なお、リーダモジュール１１０は、例えば、ＲＦＩＤタグ２１０，２２０に対してＲＦＩＤ読み取り用の電波を発するとともにＲＦＩＤタグ２１０，２２０からの電波を受けるアンテナと、主制御部１２０の指示に応じてアンテナに電波送信指令を出す送信部と、アンテナを介してＲＦＩＤタグ２１０，２２０からのＩＤ情報を受信する受信部とを含む。
【００２３】
図４は、ＲＦＩＤタグ２１０，２２０の構成例を示すブロック図である。ＲＦＩＤタグ２１０，２２０のそれぞれは、ＩＤ情報を記憶するメモリ１０と、メモリからＩＤ情報を読み出す信号処理部と、データをコイル状アンテナ（図示せず）を介して送信するとともにアンテナを介してデータを受信するデータ送受信部とを含む。なお、アンテナの感度は、携帯電話機１００が例えば１０ｃｍ程度まで近づけられたときにＲＦＩＤ読み取り用の電波によって起電力を発生するように低く設定される。また、そのような感度設定は、リーダモジュール１１０におけるアンテナにおいてなされてもよい。
【００２４】
次に、図５のフローチャートと図６の説明図を参照して動作を説明する。図５は、ＲＦＩＤタグを用いた発呼処理を示すフローチャートである。図６は、主記憶部１３０に記憶されている変換テーブルの一例を示す説明図である。
【００２５】
携帯電話機１００の販売者は、利用者が携帯電話機１００を購入するときに、ＲＦＩＤタグ２１０，２２０が取り付けられた装着部材２１１，２２１を添付する。添付品としての装着部材２１１，２２１は有料オプション品であってもよい。また、利用者が、携帯電話機１００を購入した後に、別途購入する別売品であってもよい。
【００２６】
また、携帯電話機１００の主記憶部１３０には、変換テーブル登録用プログラムも内蔵されている。主制御部１２０は、利用者による所定の操作に応じて、変換テーブル登録用プログラムに従って、表示部１４０に登録用画面を表示する。登録用画面には、例えば、１番目のタグＩＤ（右耳用ＲＦＩＤに対応）に対応する電話番号の入力と、２番目のタグＩＤ（左耳用ＲＦＩＤに対応）に対応する電話番号の入力とを利用者に要求する画面である。利用者は、登録用画面において、電話番号を入力する。ここで、既に登録されている短縮ダイヤルを入力してもよい。主制御部１２０は、入力された電話番号を、図６に例示するように、右耳用ＲＦＩＤおよび左耳用ＲＦＩＤに対応させて主記憶部１３０に保存する。なお、タグＩＤは、携帯電話機１００の出荷時から主記憶部１３０に設定されている。また、ＲＦＩＤタグ２１０，２２０に設定されているＩＤ情報は、主記憶部１３０に設定されているいずれかのタグＩＤと一致している。
【００２７】
また、変換テーブルには、電話番号そのものが保存されるのではなく、携帯電話機１００が備えている電話帳における通し番号や相手先名が保存されるようにしてもよい。電話帳における通し番号は、一意に採番され、各番号に対応して電話番号が記憶されているので、通し番号で電話番号を特定できる。また、相手先名も一意に設定されているはずであるから、相手先名から電話帳を検索すれば、電話番号を特定できる。
【００２８】
また、利用者は、装着部材２１１を、眼鏡２００の右側の蔓に装着し、装着部材２２１を、眼鏡２００の左側の蔓に装着する。以上の利用者による処理が終了すると、利用者が眼鏡２００を装着した状態で、ＲＦＩＤを利用した携帯電話機１００の発呼ができる状態になる。
【００２９】
携帯電話機１００の電源がオンしている状態では、主制御部１２０は、変復調部１７０が動作中であるか否か確認する（ステップＳ１０１）。すなわち、通信中または既に発着呼動作が開始されているときであるか否か確認する。主制御部１２０は、変復調部１７０が動作中でなければ、操作入力制御部１８０が動作中であるか否か確認する（ステップＳ１０２）。すなわち、操作キー１９０において操作がなされているか否か確認する。
【００３０】
主制御部１２０は、操作入力制御部１８０が動作中でないときには、リーダモジュール１１０に対してＲＦＩＤの読み取りを指示する。リーダモジュール１１０は、指示に応じて電波を発する（ステップＳ１０３）。
【００３１】
携帯電話機１００が、利用者が装着している眼鏡２００の右または左の蔓に近づけられた場合には、右耳用のＲＦＩＤ２１０タグまたは左耳用のＲＦＩＤ２２０がＩＤ情報（ＲＦＩＤ）を携帯電話機１００に送信する。その場合には、リーダモジュール１１０は、いずれかのＲＦＩＤを受信することができる。いずれのＩＤ情報も受信できなかった場合には、ステップＳ１０１に戻る。
【００３２】
右耳用のＲＦＩＤ２１０タグまたは左耳用のＲＦＩＤ２２０からＲＦＩＤを受信できた場合には、リーダモジュール１１０は、受信したＲＦＩＤを主制御部１２０に出力する。主制御部１２０は、入力したＲＦＩＤを主記憶部１３０に格納されている変換テーブルにおけるタグＩＤと照合する。入力したＲＦＩＤが変換テーブルにおけるいずれかのタグＩＤと一致した場合には、ＲＦＩＤ読み取り成功としてステップＳ１０５に移行する。一致しない場合には、または、所定期間内にリーダモジュール１１０がＲＦＩＤを受信しなかった場合には、ステップＳ１０１に戻る。
【００３３】
ステップＳ１０５では、主制御部１２０は、リーダモジュール１１０から入力したＲＦＩＤタグと一致するタグＩＤに対応する電話番号を主記憶部１３０から読み出す。そして、読み出した電話番号を操作入力部１８０に出力して発呼を指示する。操作入力部１８０は、入力した電話番号にもとづいて変復調部１７０に電話番号を含む発呼信号を送信させる（ステップＳ１０６）。なお、この実施の形態では、発呼指示は全て操作入力部１８０を介するようになっているが、手指の操作にもとづく発呼の場合に主制御部１２０が操作入力部１８０を介して操作されたボタンを認識し、認識結果に応じて主制御部１２０が変復調部１７０に発呼の指示を与えるように構成されている場合には、ＲＦＩＤにもとづく発呼が行われるときに、主制御部１２０が、直接、主記憶部１３０から読み出した電話番号を操作入力部１８０に出力して発呼を指示する。
【００３４】
なお、上記の説明では、ステップＳ１０１，Ｓ１０２における判定結果が否定的である場合には、常にステップＳ１０３の処理が実行されたが、ステップＳ１０１，Ｓ１０２における判定結果が否定的であることを条件に、間欠的に（例えば１秒間隔で）ステップＳ１０３の処理を実行するようにしてもよい。そのようにした場合には、携帯電話機１００の電力節減を図ることができる。
【００３５】
また、図５に示された処理は、利用者によって携帯電話機１００に対して所定のモード設定がなされているときに実行されるようにしてもよい。その場合には、例えば、利用者は、スキー場において、ゲレンデに出る前に所定のモード設定を行うことによって、携帯電話機１００をＲＦＩＤにもとづく発呼が行われる状態にすることができ、ゲレンデ外ではそのモードを解除して、不用意に携帯電話機１００を眼鏡２００に近づけてしまって予期しない発呼がなされてしまうことを防止できる。
【００３６】
以上に説明したように、この実施の形態では、利用者が、携帯電話機１００を、眼鏡２００をかけている左右の耳のいずれかに近づけるだけで携帯電話機１００が発呼を行うので、手指の自由が利かない場合でも、発呼処理を行わせることができる。また、単数ではなく、２つの異なる発呼先のそれぞれに対する発呼処理を行わせることもできる。なお、眼鏡２００の左右の蔓のいずれか一方のみに装着部材が装着されている場合でも、本発明は成立する。
【００３７】
なお、上記の実施の形態において、発呼手段は、変復調部１７０およびアンテナ部１６０で実現される。ＩＤ情報記憶手段（例えばＲＦＩＤタグ２１０，２２０）が記憶しているＩＤ情報と電話番号とを対応付ける情報を記憶する変換情報記憶手段は、主記憶部１３０に保存されている変換テーブルで実現される。携帯電話の利用者が身に付けている物品に付属（貼付、印刷、埋め込みなどで物品と一体化している概念）しているＩＤ情報記憶手段から無線通信でＩＤ情報を読み取るＩＤ情報読取手段は、リーダモジュール１１０で実現される。ＩＤ情報に対応する電話番号を変換情報記憶手段から抽出して発呼手段に出力する発呼制御手段は、主制御部１２０（または主制御部１２０と操作入力制御部１８０）で実現される。ＩＤ情報記憶手段から読み取られたＩＤ情報を、利用者が入力した電話番号に対応付けて変換情報記憶手段に記憶させる登録制御手段は、タグＩＤ登録用プログラムに従って動作する主制御部１２０で実現される。
【００３８】
また、上記の実施の形態では、携帯電話機１００の主記憶部１３０にあらかじめタグＩＤが書き込まれている場合について説明したが、携帯電話機１００を購入した利用者がタグＩＤを携帯電話機１００に書き込めるようにしてもよい。そのような形態を実現するには、例えば、携帯電話機１００の主記憶部１３０に、タグＩＤ登録用プログラムを内蔵すればよい。主制御部１２０は、利用者による所定の操作に応じて、タグＩＤ登録用プログラムに従って、表示部１４０に、携帯電話機１００をＲＦＩＤタグ２１０，２２０に近づける指示を表示する。そして、リーダモジュール１１０に読み取り指示を出す。リーダモジュール１１０は、指示に応じてＲＤＩＤを読み出し、読み出したＲＦＩＤを主制御部１２０に出力する。主制御部１２０は、電話番号入力のための画面を表示部１４０に表示する。利用者が、電話番号を入力すると、主制御部１２０は、リーダモジュール１１０から入力されたＲＦＩＤをタグＩＤとして、タグＩＤと入力された電話番号とを対応付けて主記憶部１３０における変換テーブルに格納する。
【００３９】
そのように携帯電話機１００の購入後にタグＩＤの登録を可能にする仕組みを組み込んでおけば、利用者が、携帯電話機１００の購入後に別途装着部材２１１，２２１を購入して使用する場合などに、携帯電話機１００におけるタグＩＤと電話番号との対応付けが容易になる。また、携帯電話機１００の購入後にタグＩＤの登録を可能にする仕組みを組み込んでおけば、携帯電話機販売者が配布する装着部材２１１，２２１を用いるのではなく、眼鏡店でＲＦＩＤ２１０，２２０が添付された眼鏡を販売するということもできる。その場合、眼鏡のデザインが崩れることがなく、また、装着感が損なわれることもない。
【００４０】
なお、上記の実施の形態では、眼鏡にＲＦＩＤが装着されたり添付されたりする例を示したが、眼鏡以外を用いても本発明を適用可能である。例えば、バッチ状のものにＲＦＩＤを組み込んで、バッチ状のものを衣服に付けてもよい。また、腕章状のものにＲＦＩＤを組み込んで、利用者が腕章状のものを装着してもよい。さらに、ネクタイピンやペンダントにＲＦＩＤを組み込んで、利用者がそれらを装着してもよい。
【００４１】
つまり、本発明は、利用者が身に付ける物品にＲＦＩＤを組み込んでおけば、利用者がその物品を身に付けた場合に本発明を活用することができる。
【００４２】
また、上記の実施の形態では、ＩＤ情報を記憶してＩＤ情報を携帯電話機１００に無線送信するものとしてＲＦＩＤタグ２１０，２２０を用いた場合について説明したが、利用者が身に付けるものに組み込み可能であって、ＩＤ情報を記憶してＩＤ情報を携帯電話機１００に無線送信できるものであれば、他のものを使用してもよい。
【産業上の利用可能性】
【００４３】
本発明は、携帯電話機の利用方法に係り、携帯電話機の発呼操作を簡便にすることができる発明である。
【図面の簡単な説明】
【００４４】
【図１】携帯電話機の一例を示す斜視図である。
【図２】ＲＦＩＤタグが装着された眼鏡を示す斜視図である。
【図３】携帯電話機の内部構成例を示すブロック図である。
【図４】ＲＦＩＤタグの構成例を示すブロック図である。
【図５】ＲＦＩＤタグを用いた発呼処理を示すフローチャートである。
【図６】主記憶部に記憶されている変換テーブルの一例を示す説明図である。
【符号の説明】
【００４５】
１０    メモリ
２０    信号処理部
３０    データ送受信部
１００  携帯電話機
１０１  スピーカ
１０２  マイクロフォン
１１０  リーダモジュール
１２０  主制御部
１３０  主記憶部
１４０  表示部
１５０  電源部
１６０  アンテナ部
１７０  変復調部（通信部）
１８０  操作入力制御部
１９０  操作キー
２００  眼鏡
２１０，２２０  ＲＦＩＤタグ
２１１，２２１  装着部材
【図１】
2005269572.tif 000003
【図２】
2005269572.tif 000004
【図３】
2005269572.tif 000005
【図４】
2005269572.tif 000006
【図５】
2005269572.tif 000007
【図６】
2005269572.tif 000008